(57)【要約】【課題】清掃性を向上させること。【解決手段】実施形態に係る衛生洗浄装置は、本体と、第１係止部とを備える。本体は、便器の上面に取り付けられる。第１係止部は、本体の後端上部を便器の上面における第１の位置に係止させることで、本体を便器の上面に保持する。【選択図】図４Ｂ
2019039228.tif 000002
【特許請求の範囲】
【請求項１】
便器の上面に取り付けられる本体と、
前記本体の後端上部を前記便器の上面における第１の位置に係止させることで、前記本体を前記便器の上面に保持する第１係止部と
を備えること
を特徴とする衛生洗浄装置。
【請求項２】
前記本体の後端下部を前記便器の上面における前記本体の取り付け位置の前方に設定された第２の位置に係止させることで、前記本体を前記便器の上面に保持する第２係止部
をさらに備えること
を特徴とする請求項１に記載の衛生洗浄装置。
【請求項３】
前記本体は、前記便器の上面に設けられた固定プレートに取り付けられることで、該便器の上面に取り付けられ、
前記第１係止部および前記第２係止部は、前記固定プレートに設けられること
を特徴とする請求項２に記載の衛生洗浄装置。
【請求項４】
前記第２係止部は、上面視において前記本体の前記取り付け位置よりも左右のいずれかにずれた位置に設けられること
を特徴とする請求項２または３に記載の衛生洗浄装置。
【請求項５】
請求項１〜４のいずれか１つに記載の衛生洗浄装置と、
前記衛生洗浄装置が取り付けられる便器と
を備えること
を特徴とするトイレ装置。
【発明の詳細な説明】
【技術分野】
【０００１】
開示の実施形態は、衛生洗浄装置およびトイレ装置に関する。
【背景技術】
【０００２】
従来、便器の上面に取り付けられ、たとえば、便座に座った人の局部を洗浄する衛生洗浄装置がある。
【０００３】
近年は、衛生洗浄装置から延びた給水ホースや給電コードなどの管状部材が外部に露出しないように、管状部材を隠蔽することが望まれている。一例としては、衛生洗浄装置と便器との間において便器の上面に形成された貫通孔から便器の内部空間に管状部材を収容して隠蔽する構造がある（たとえば、特許文献１参照）。
【先行技術文献】
【特許文献】
【０００４】
【特許文献１】特開２０１５−１８３４２９号公報
【発明の概要】
【発明が解決しようとする課題】
【０００５】
ところで、便器の清掃時、衛生洗浄装置が取り付けられている場合は、衛生洗浄装置を便器から取り外して便器の上面および、衛生洗浄装置の裏面などを清掃する。
【０００６】
しかしながら、上記したような従来の衛生洗浄装置では、管状部材が便器の内部空間に収まる長さであるため、便器の清掃時、便器から本体を取り外しても管状部材の長さが足りないことから、本体を便器から距離的に離して床に置いたりすることができない。また、管状部材が便器上面にかかり、清掃の妨げとなる。このため、使用者が本体を保持したまま清掃作業を行う必要があるなど、清掃性について改善の余地があった。
【０００７】
実施形態の一態様は、清掃性を向上させることができる衛生洗浄装置およびトイレ装置を提供することを目的とする。
【課題を解決するための手段】
【０００８】
実施形態の一態様に係る衛生洗浄装置は、便器の上面に取り付けられる本体と、前記本体の後端上部を前記便器の上面における第１の位置に係止させることで、前記本体を前記便器の上面に保持する第１係止部とを備えることを特徴とする。
【０００９】
かかる構成によれば、本体の後端上部を便器の上面に係止させることで、便器から取り外した本体を便器の上面に立てた状態で保持することができる。清掃時には本体を便器の上面に保持することができるため、便器の清掃が容易となり、清掃性を向上させることができる。
【００１０】
また、上記した衛生洗浄装置では、前記本体の後端下部を前記便器の上面における前記本体の取り付け位置の前方に設定された第２の位置に係止させることで、前記本体を前記便器の上面に保持する第２係止部をさらに備えることを特徴とする。
【００１１】
かかる構成によれば、本体の後端下部を便器の上面に係止させることで、便器から取り外した本体を便器の上面に寝かせた状態で保持することができる。清掃時には本体を便器の上面に保持することができるため、便器の清掃がさらに容易となり、清掃性をさらに向上させることができる。
【００１２】
また、上記した衛生洗浄装置では、前記本体は、前記便器の上面に設けられた固定プレートに取り付けられることで、該便器の上面に取り付けられ、前記第１係止部および前記第２係止部は、前記固定プレートに設けられることを特徴とする。
【００１３】
かかる構成によれば、便器の上面において第１係止部および第２係止部を固定プレートに設けるため、第１係止部および第２係止部をいずれも容易に設けることができる。すなわち、製造容易でありながら、清掃性を向上させることができる。
【００１４】
また、上記した衛生洗浄装置では、前記第２係止部は、上面視において前記本体の前記取り付け位置よりも左右のいずれかにずれた位置に設けられることを特徴とする。
【００１５】
かかる構成によれば、清掃後、衛生洗浄装置の取り付け忘れを防止することができる。
【００１６】
さらに、実施形態の一態様に係るトイレ装置は、前記衛生洗浄装置と、前記衛生洗浄装置が取り付けられる便器とを備えることを特徴とする。
【００１７】
かかる構成によれば、衛生洗浄装置の本体の後端上部を便器の上面に係止させることで、便器から取り外した衛生洗浄装置を便器の上面に保持することができる。清掃時には衛生洗浄装置を便器の上面に保持することができるため、便器の清掃が容易となり、清掃性を向上させることができる。
【発明の効果】
【００１８】
実施形態の一態様によれば、清掃性を向上させることができる。
【図面の簡単な説明】
【００１９】
【図１】図１は、実施形態に係る衛生洗浄装置およびトイレ装置を示す概略斜視図（その１）である。
【図２】図２は、実施形態に係る衛生洗浄装置およびトイレ装置を示す概略斜視図（その２）である。
【図３】図３は、実施形態に係る衛生洗浄装置の取り付け状態を示す概略側面図である。
【図４Ａ】図４Ａは、第１係止部の説明図（その１）である。
【図４Ｂ】図４Ｂは、第１係止部の説明図（その２）である。
【図４Ｃ】図４Ｃは、第１係止部の説明図（その３）である。
【図５Ａ】図５Ａは、第２係止部の説明図（その１）である。
【図５Ｂ】図５Ｂは、第２係止部の説明図（その２）である。
【図５Ｃ】図５Ｃは、第２係止部の説明図（その３）である。
【図６】図６は、係止部の変形例（その１）の説明図である。
【図７】図７は、係止部の変形例（その２）の説明図である。
【発明を実施するための形態】
【００２０】
以下、添付図面を参照して、本願の開示する衛生洗浄装置およびトイレ装置の実施形態を詳細に説明する。なお、以下に示す実施形態によりこの発明が限定されるものではない。
【００２１】
＜１．トイレ装置＞
図１および図２を参照して実施形態に係るトイレ装置１について説明する。図１および図２は、実施形態に係る衛生洗浄装置１０およびトイレ装置１を示す概略斜視図である。なお、図２には、衛生洗浄装置１０の取り付け（または、取り外し）状態を示している。
【００２２】
図１および図２において、説明の便宜上、鉛直上向きを正方向とするＺ軸を含む３次元の直交座標系を図示している。かかる３次元の直交座標系は、他の図においても図示している場合がある。
【００２３】
かかる直交座標系は、Ｘ軸の正方向側を「前」、負方向側を「後」と規定し、Ｙ軸の正方向側を「右」、負方向側を「左」と規定し、Ｚ軸の正方向側を「上」、負方向側を「下」と規定している。このため、以下の説明においては、Ｘ軸方向を前後方向、Ｙ軸方向を左右方向、Ｚ軸方向を上下方向という場合がある。
【００２４】
図１に示すように、トイレ装置１は、便器部２と、衛生洗浄装置１０とを備える。なお、便器部２は、図示のような床置き式に限らず、壁掛け式でもよい。また、図示の例では、トイレ装置１は、洗浄水を貯留する洗浄水タンク３を備える。洗浄水タンク３は、たとえば、便器部２の後部に設置される。なお、トイレ装置１は、洗浄水タンク３が便器部２の後部に設置されない、いわゆるタンクレス式でもよい。
【００２５】
便器部２は、たとえば陶器製の便器本体（以下、便器という）２１を備える。便器２１の上面２１ａには、汚物を受ける凹部（以下、ボウルという）２２が形成される。また、便器部２は、洗浄水タンク３に貯留された洗浄水をボウル２２へ導く導水路（図示省略）や、ボウル２２の底部に接続されるトラップ管路（図示省略）などをさらに備える。
【００２６】
便器２１は、内部空間を有する。たとえば、便器２１の後部にカバーが取り付けられ、便器２１の外周面とカバーとの間に形成された空間を「内部空間」としてもよい。便器２１の内部空間には、後述する管状部材４が収納される。
【００２７】
トイレ装置１は、たとえば、サイホン作用を利用してボウル２２内の汚物を引き込んで、引き込んだ汚物を、トラップ管路を通じて排水管路へ排出する、いわゆるサイホン式である。なお、トイレ装置１は、サイホン式に限らず、たとえば、ボウル２２内の洗浄水の落差による流水作用で汚物を押し流す、いわゆる洗い落し式でもよい。
【００２８】
＜２．衛生洗浄装置＞
次に、実施形態に係る衛生洗浄装置１０について説明する。衛生洗浄装置１０は、本体１１が便器２１の上面２１ａ後部に取り付けられ、後述する便座１２に座った人（使用者）の局部に向けて洗浄水を噴射して、使用者の局部を洗浄する。
【００２９】
図１に示すように、衛生洗浄装置１０は、本体１１と、便座１２と、便蓋１３とを備える。便座１２は、後端部が本体１１に保持され、取り付け状態（すなわち、衛生洗浄装置１０を便器２１の上面２１ａに設置した状態）において、本体１１の前方に配置される。便座１２は、取り付け状態で上下方向に回動する。
【００３０】
便蓋１３は、後端部が本体１１に保持され、取り付け状態において、本体１１の前方、かつ、便座１２の上方に配置される。便蓋１３は、取り付け状態で上下方向に回動する。なお、便蓋１３は、衛生洗浄装置１０において必要に応じて設けられ、省略可能である。
【００３１】
衛生洗浄装置１０は、本体１１として、ケーシング１１ａと、機能部（図示省略）とを備える。機能部は、ケーシング１１ａに収容され、衛生洗浄装置１０への給水、給電に供する装置の他、たとえば、便座１２に座った人（使用者）の局部を洗浄する衛生洗浄ノズルや、ボウル２２内の臭いを除去する脱臭装置などを備える。
【００３２】
ここで、衛生洗浄装置１０と外部との間には、管状部材４が介在している。管状部材４としては、たとえば、給水源（図示省略）から延びた給水ホース４１や、電源（いわゆる電源コンセント）５２に接続される電源コード４２がある。また、管状部材４としては、本体１１側のジャックに接続される便器洗浄コード（図示省略）などがある。
【００３３】
便器洗浄コードは、たとえば、ボウル２２内の洗浄時に操作される回動レバーをリモコンによる操作で行う場合に、回動レバーの駆動モータと衛生洗浄装置１０とを電気的に接続して電力を供給する。
【００３４】
衛生洗浄装置１０は、便器２１に設置される場合、意匠性の向上の観点から、管状部材４が使用者の視界に入らないように、すなわち、管状部材４がトイレ装置１の外部に露出しないように管状部材４が隠蔽される、いわゆる給水給電隠蔽で設置される。
【００３５】
図２に示すように、衛生洗浄装置１０は、便器２１に設置される場合に、管状部材４が便器２１の上面２１ａ後部における左右いずれか一側部（図示の例では、左側部）の貫通孔２１ｂに挿通され、貫通孔２１ｂを介して、便器２１の内部空間に収納される。これにより、管状部材４を、トイレ装置１の外部にできるだけ露出させることなく、トイレ室のたとえば壁面５に設けられた止水栓５１や電源コンセント５２に接続することができる。
【００３６】
また、図２に示すように、衛生洗浄装置１０は、便器２１の上面２１ａに設けられた固定プレート２３を介して、便器２１の上面２１ａに取り付けられる。固定プレート２３は、便器２１の上面２１ａ後部において、上面（平面）視における中央部に設けられ、便器２１の上面２１ａと衛生洗浄装置１０の本体１１との間において、本体１１を固定する。固定プレート２３は、衛生洗浄装置１０（本体１１）を、前後方向にスライド移動させることで、着脱させる。
【００３７】
固定プレート２３は、本体１１を前方から後方（Ｘ軸の負方向）に所定量だけスライド移動させることで、本体１１の取り付けを可能とする。また、固定プレート２３は、本体１１を後方から前方（Ｘ軸の正方向）に所定量だけスライド移動させることで、本体１１の取り外しを可能とする。このように、固定プレート２３は、衛生洗浄装置１０を固定するとともに、衛生洗浄装置１０を介して、便器２１に便座１２や便蓋１３を連結する。
【００３８】
ここで、図３を参照して衛生洗浄装置１０を便器部２（便器２１）に取り付けた状態について説明する。図３は、実施形態に係る衛生洗浄装置１０の取り付け状態（この状態を正規の取り付け状態という場合がある）を示す概略側面図である。
【００３９】
図３に示すように、衛生洗浄装置１０は、固定プレート２３を介して、便器２１の上面２１ａに固定された状態では、本体１１の後端部に形成された凹部１１ｂに固定プレート２３の本体２３ａが挿入されている。
【００４０】
フレキシブルホースなどの給水ホース４１は、従来、衛生洗浄装置１０の本体１１に一体的に接続される。たとえば、トイレ装置１の施工時、専門の業者が工具を用いて本体１１に接続させた給水ホース４１は、損傷などが発生しない限り本体１１から取り外すことはない。また、損傷などが発生して給水ホース４１を本体１１から取り外す場合も、専門の業者が工具を用いて取り外すため、使用者が給水ホース４１を取り外すことはない。
【００４１】
このように、従来、本体１１に接続された給水ホース４１は、本体１１から取り外せないように構成されており、たとえば、便器２１の清掃時、便器２１から衛生洗浄装置１０を取り外す場合、便器２１から本体１１を取り外しても、給水ホース４１が本体１１と繋がったままである。また、図２に示すように、給水ホース４１などの管状部材４は便器２１の貫通孔２１ｂを挿通させているため、便器２１から取り外した本体１１を便器２１から距離的に離せない。このため、使用者は、たとえば、本体１１を手に持ったまま便器２１の清掃を行う。
【００４２】
実施形態に係る衛生洗浄装置１０は、便器２１から取り外した衛生洗浄装置１０を便器２１の上面２１ａに保持することで、便器２１の清掃を容易に行えるものである。
【００４３】
＜３．保持構造＞
次に、図４Ａ〜図５Ｃを参照して衛生洗浄装置１０の保持構造について説明する。衛生洗浄装置１０は、便器２１の上面２１ａにおける所定の位置（第１の位置Ａ１および第２の位置Ａ２）においてそれぞれ第１係止部６１および第２係止部６２で保持される。以下では、まず、図４Ａ〜図４Ｃを用いて第１係止部６１について説明し、次いで、図５Ａ〜図５Ｃを用いて第２係止部６２について説明する。
【００４４】
＜３−１．第１係止部＞
図４Ａ〜図４Ｃは、第１係止部６１の説明図である。なお、図４Ａには、便器２１の上面（平面）を示すとともに、便器２１の上面２１ａにおける第１の位置Ａ１を示している。また、図４Ｂには、側面視（左側面視）において衛生洗浄装置１０が保持された状態を示し、図４Ｃには、図４ＢにおけるＢ１部を拡大して示している。
【００４５】
図４Ａに示すように、便器２１の上面２１ａには、衛生洗浄装置１０が正規の取り付け状態以外で係止される第１の位置Ａ１が設けられる。図示の例では、第１の位置Ａ１は、固定プレート２３の上方（Ｚ軸の正方向）に設定されている。図４Ｂに示すように、衛生洗浄装置１０は、第１の位置Ａ１において、立った状態、すなわち、長手方向がＺ軸方向を向いた状態で保持される。衛生洗浄装置１０は、固定プレート２３に本体１１の凹部１１ｂを係止する係止部（第１係止部）６１（図４Ｃ参照）を備える。
【００４６】
図４Ｃに示すように、衛生洗浄装置１０の本体１１に形成された凹部１１ｂには、本体１１の後端部において凹部１１ｂの開口範囲を規制する規制部１１ｃが設けられる。固定プレート２３は、本体２３ａから前方（Ｘ軸の正方向）に突出している凸部２３ｂを備える。そして、第１係止部６１は、衛生洗浄装置１０の本体１１の凹部１１ｂと、規制部１１ｃと、固定プレート２３の本体２３ａの凸部２３ｂとを備える。
【００４７】
第１係止部６１は、第１の位置Ａ１において、規制部１１ｃで開口範囲が規制された凹部１１ｂに固定プレート２３の凸部２３ｂが嵌り込むことで、衛生洗浄装置１０を便器２１の上面２１ａに立てた状態で保持する。
【００４８】
＜３−２．第２係止部＞
図５Ａ〜図５Ｃは、第２係止部６２の説明図である。なお、図５Ａには、便器２１の上面（平面）を示すとともに、便器２１の上面２１ａにおける第２の位置Ａ２を示している。また、図５Ｂには、側面視（左側面視）において衛生洗浄装置１０が保持された状態を示し、図５Ｃには、図５ＢにおけるＢ２部を拡大して示している。
【００４９】
図５Ａに示すように、便器２１の上面２１ａには、衛生洗浄装置１０が正規の取り付け状態以外で係止される第２の位置Ａ２が設けられる。図示の例では、第２の位置Ａ２は、正規の取り付け位置の前方となる固定プレート２３の前方（Ｘ軸の正方向）に設定されている。図５Ｂに示すように、衛生洗浄装置１０は、第２の位置Ａ２において、寝た状態、すなわち、長手方向がＸ軸方向を向いた状態で保持される。衛生洗浄装置１０は、上記した第１係止部６１の他、固定プレート２３に本体１１の凹部１１ｂを係止する係止部（第２係止部）６２（図５Ｃ参照）を備える。
【００５０】
第２係止部６２は、第２の位置Ａ２において、第１係止部６１と同様に規制部１１ｃで開口範囲が規制された凹部１１ｂに固定プレート２３の凸部２３ｂが嵌り込むことで、衛生洗浄装置１０を便器２１の上面２１ａに寝かせた状態で保持する。
【００５１】
なお、衛生洗浄装置１０は、第１係止部６１および第２係止部６２の双方を備える必要はなく、第１係止部６１および第２係止部６２のいずれか一方のみを備えるものでもよい。
【００５２】
上記した実施形態に係る衛生洗浄装置１０によれば、第１係止部６１によって本体１１の後端上部を便器２１の上面２１ａに係止させることで、便器２１から取り外した本体１１を便器２１の上面２１ａに立てた状態で保持することができる。清掃時には本体１１を便器２１の上面に保持することができるため、便器２１の清掃が容易となり、清掃性を向上させることができる。
【００５３】
また、第２係止部６２によって本体１１の後端下部を便器２１の上面２１ａに係止させることで、便器２１から取り外した本体１１を便器２１の上面２１ａに寝かせた状態で保持することができる。この場合、本体１１は、正規の取り付け位置とは異なる位置（第２の位置Ａ２）で保持される。清掃時には本体１１を便器２１の上面２１ａに保持することができるため、便器２１の清掃がさらに容易となり、清掃性をさらに向上させることができる。
【００５４】
また、便器２１の上面２１ａにおいて、第１係止部６１および第２係止部６２を固定プレート２３に設けるため、第１係止部６１および第２係止部６２をいずれも容易に設けることができる。たとえば、便器２１の上面２１ａに直接設ける場合は便器２１が陶器製であるため、容易ではない。すなわち、製造容易でありながら、清掃性を向上させることができる。
【００５５】
また、実施形態に係るトイレ装置１によれば、上記した衛生洗浄装置１０を備えることで、衛生洗浄装置１０において、第１係止部６１によって本体１１の後端上部を便器２１の上面２１ａに係止させることで、便器２１から取り外した本体１１を便器２１の上面２１ａに立てた状態で保持することができる。また、第２係止部６２によって本体１１の後端下部を便器２１の上面２１ａに係止させることで、便器２１から取り外した本体１１を便器２１の上面２１ａに寝かせた状態で保持することができる。第１係止部６１および第２係止部６２のいずれによっても、清掃時には本体１１を便器２１の上面に保持することができるため、便器２１の清掃が容易となり、清掃性を向上させることができる。
【００５６】
＜３−３．係止部の変形例＞
次に、図６および図７を参照して係止部の変形例について説明する。図６および図７は、係止部の変形例の説明図である。なお、図６には、便器２１の上面（平面）を示すとともに、便器２１の上面２１ａにおける第３の位置Ａ３を示している。図６に示すように、たとえば第２係止部６２（図５Ｃ参照）が、上面視において衛生洗浄装置１０（本体１１）の正規の取り付け位置よりも左右方向のいずれか、すなわち、Ｙ軸の正方向または負方向にずれた第３の位置Ａ３で本体１１が係止されてもよい。
【００５７】
かかる構成によれば、本体１１が正規の取り付け位置からずれた第３の位置Ａ３で係止されるため、清掃後、衛生洗浄装置１０の取り付け忘れを防止することができる。
【００５８】
図７には、便器２１および衛生洗浄装置１０の側面（左側面）を示している。図７に示すように、便器２１の上面２１ａに、たとえば、衛生洗浄装置１０の本体１１との間に摩擦を生じさせるような板状のゴム材などの係止部２３Ａを設けてもよい。かかるゴム材を係止部２３Ａとして用いる場合、たとえば、便器２１の上面２１ａに貼り付けるだけで係止部２３Ａを容易に設置することがきる。
【００５９】
また、便器の上面に突起などを設けて衛生洗浄装置１０を便器２１の上面２１ａに保持する係止部とすることも可能である。また、便器２１の上面２１ａに平坦面を形成して、かかる平坦面を、衛生洗浄装置１０を便器２１の上面２１ａに保持する係止部とすることも可能である。
【００６０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００６１】
１    トイレ装置
１０    衛生洗浄装置
１１    本体
２１    便器
２１ａ  上面
６１    第１係止部
６２    第２係止部
Ａ１    第１の位置
Ａ２    第２の位置
Ａ３    第３の位置
【図１】
2019039228.tif 000003
【図２】
2019039228.tif 000004
【図３】
2019039228.tif 000005
【図４Ａ】
2019039228.tif 000006
【図４Ｂ】
2019039228.tif 000007
【図４Ｃ】
2019039228.tif 000008
【図５Ａ】
2019039228.tif 000009
【図５Ｂ】
2019039228.tif 000010
【図５Ｃ】
2019039228.tif 000011
【図６】
2019039228.tif 000012
【図７】
2019039228.tif 000013